(57)【要約】【課題】継手の座金として機能すると共に、支柱とパネルの端部との間の隙間（Ｓ0）を確実に塞ぐことができるフェンス用継手座金を提供する。【解決手段】防音目隠しフェンスの支柱１１に、端部にパネル端部押え金具１６が取り付けられているパネル１２の胴縁１３を固定するフェンス用継手座金１において、座金本体２と、座金本体２の一端側に、座金本体２と段差をつけて形成された隙間閉塞用片３とからなり、座金本体２には、水平孔４Ａと垂直孔４ＢとからなるＬ字状ボルト孔４が上下に間隔をあけ、かつ、垂直孔４Ｂが外側を向き、水平孔４Ａが互いに平行になるように形成され、隙間閉塞用片３は、座金本体２より長く形成され、隙間閉塞用片３の上下端には、支柱１１とパネル１２との間の隙間（Ｓ0）を塞ぐ突出部３Ａが形成されている。【選択図】図３
2010261245.tif 000002
【特許請求の範囲】
【請求項１】
防音目隠しフェンスの支柱に、端部にパネル押え金具が取り付けられているパネルの胴縁を固定するフェンス用継手座金において、
座金本体と、前記座金本体の一端側に、前記座金本体と段差をつけて形成された隙間閉塞用片とからなり、前記座金本体には、水平孔と垂直孔とからなるＬ字状ボルト孔が上下に間隔をあけ、かつ、前記垂直孔が外側を向き、前記水平孔が互いに平行になるように形成され、前記隙間閉塞用片は、前記座金本体より長く形成され、前記隙間閉塞用片の上下端には、前記支柱と前記パネルとの間の隙間（Ｓ0）を塞ぐ突出部が形成されていることを特徴とするフェンス用継手座金。
【発明の詳細な説明】
【技術分野】
【０００１】
この発明は、フェンス用継手座金、特に、支柱とパネルとの間に形成された隙間を確実に塞ぐことができるフェンス用継手座金に関するものである。
【背景技術】
【０００２】
防音と目隠し効果を兼ねた防音目隠しフェンスは、図６の正面図、および、図６の部分拡大図である図７に示すように、上下の胴縁１３間に取り付けられた鉄板等からなるパネル１２を、支柱１１間に継手１４を介して固定したものからなっている。
【０００３】
従来、上記のような防音目隠しフェンスにおいては、パネル１２の左右端部を補強するために、パネル１２の端部の表裏両面にパネル端部押え金具１５をボルト止めしていた。以下、このフェンス用パネル端部押え金具を従来押え金具という。従来押え金具１５は、図８の平面図に示すように、鋼板等の平板の幅方向両端部に半円形状のリブを形成したものからなっている。
【０００４】
上述した従来押え金具１５によれば、これをパネル１２の端部の両面に固定することにより、パネル１２の端部が補強されるので、パネル１２の変形を防止することができる。
【発明の概要】
【発明が解決しようとする課題】
【０００５】
しかしながら、従来押え金具１５は、単にパネル１２の端部を挟み込んでパネル１２を補強する機能のみであるので、図７に示すように、支柱１１とパネル１２の左右端部との間に生じた隙間（Ｓ）を塞ぐことはできなかった。隙間（Ｓ）は、支柱１１間にパネル１２を固定してフェンスを構築する関係上、ゼロにすることはできない。支柱１１とパネル１２の端部との間に隙間（Ｓ）が生じると、防音と目隠し機能とが損われるといった問題があった。
【０００６】
そこで、上記問題を解決するために、図９の斜視図に示すようなパネル端部押え金具１６が提案された。以下、このパネル端部押え金具１６を改良押え金具という。
【０００７】
この改良押え金具１６は、平板を平面形状Ｚ形に折り曲げて、一側片１６Ａ、中央片１６Ｂおよび他側片１６Ｃを形成したものからなっている。一側片１６Ａには、一側片１６Ａの長手方向に間隔をあけて複数個の長孔状のボルト孔１７が形成されている。他側片１６Ｃは、改良押え金具が取り付けられたフェンスの部分斜視図である図１０、および、図１０のＡ−Ａ線断面図である図１１に示すように、フェンスの支柱１１に当接される。
【０００８】
上記改良押え金具１６によれば、以下のようにして、支柱１１とパネル１２の端部との間の隙間（Ｓ）を塞ぐことができる。
【０００９】
先ず、図１０および図１１に示すように、パネル１２の端部の表裏両面に押え金具固定用ボルト１８により改良押え金具１６を取り付ける。次いで、胴縁１３と改良押え金具１６とが取り付けられたパネル１２を継手１４によって支柱１１に固定する。このようにして、パネル１２を支柱１１に固定したら押え金具固定用ボルト１８を緩め、支柱１１側に、他方片１６Ｃが支柱１１に当接するまで移動させる。改良押え金具１６の支柱１１側への移動は、一方片１６Ａに形成されたボルト孔１７が長孔になっているので容易に行える。この後、押え金具固定用ボルト１８を本締めして、改良押え金具１６をパネル１２に固定する。これによって、支柱１１とパネル１２の端部との間の隙間（Ｓ）は塞がれる。
【００１０】
しかしながら、改良押え金具１６を使用しても、フェンスをフェンスの表側から見た図４に示すように、支柱１１とパネル１２の端部との間の隙間（Ｓ0）を塞ぐことはできなかった。なお、図４に示す隙間（Ｓ0）は、後述するように、この発明のフェンス用継手座金により塞がれている。改良押え金具１６の長さが上下胴縁１３間の間隔と等しければ、上記隙間（Ｓ0）は形成されないが、施工上、若干の隙間（Ｓ0）が形成される。
【００１１】
上記隙間（Ｓ0）が形成されると、上記隙間（Ｓ）が形成された場合と同様に、防音と目隠し機能とが損われるといった問題があった。
【００１２】
従って、この発明の目的は、継手の座金として機能すると共に、支柱とパネルの端部との間の隙間（Ｓ0）を確実に塞ぐことができる、フェンス用継手座金を提供することにある。
【課題を解決するための手段】
【００１３】
この発明は、上記目的を達成するためになされたものであり、下記を特徴とするものである。
【００１４】
請求項１に記載の発明は、防音目隠しフェンスの支柱に、端部にパネル押え金具が取り付けられているパネルの胴縁を固定するフェンス用継手座金において、座金本体と、前記座金本体の一端側に、前記座金本体と段差をつけて形成された隙間閉塞用片とからなり、前記座金本体には、水平孔と垂直孔とからなるＬ字状ボルト孔が上下に間隔をあけ、かつ、前記垂直孔が外側を向き、前記水平孔が互いに平行になるように形成され、前記隙間閉塞用片は、前記座金本体より長く形成され、前記隙間閉塞用片の上下端には、前記支柱と前記パネルとの間の隙間（Ｓ0）を塞ぐ突出部が形成されていることに特徴を有するものである。
【発明の効果】
【００１５】
この発明によれば、支柱にパネルの胴縁を固定する継手の座金としての機能と、支柱とパネルの端部との間の隙間（Ｓ0）を塞ぐことができる機能と合わせ持つことができる。
【図面の簡単な説明】
【００１６】
【図１】この発明のフェンス用継手座金を示す斜視図である。
【図２】図１のＡ−Ａ線断面図である。
【図３】この発明のフェンス用継手座金を使用して構築されたフェンスをフェンスの裏側から見た部分斜視図である。
【図４】この発明のフェンス用継手座金を使用して構築されたフェンスをフェンスの表側から見た部分斜視図である。
【図５−１】この発明のフェンス用継手座金の取り付け方法を示す正面図であり、（ａ）は、継手座金の最初の取り付け状態を示す図、（ｂ）は、継手座金を９０°回転させた状態を示す図である。
【図５−２】この発明のフェンス用継手座金の取り付け方法を示す正面図であり、（ｃ）は、胴縁固定用ボルトが継手座金のボルト孔の水平孔に移動するように継手座金を下方に移動させた状態を示す図、（ｄ）は、継手座金を支柱側に移動させた状態を示す図である。
【図６】防音目隠しフェンスを示す正面図である。
【図７】図６の部分拡大図である。
【図８】従来押え金具を示す平面図である。
【図９】改良押え金具を示す斜視図である。
【図１０】改良押え金具が取り付けられたフェンスの部分斜視図である。
【図１１】図１０のＡ−Ａ線断面図である。
【発明を実施するための形態】
【００１７】
この発明のフェンス用継手座金の一実施態様を、図面を参照しながら説明する。
【００１８】
図１は、この発明のフェンス用継手座金を示す斜視図、図２は、図１のＡ−Ａ線断面図、図３は、この発明のフェンス用継手座金を使用して構築されたフェンスをフェンスの裏側から見た部分斜視図である。
【００１９】
図１から図３に示すように、この発明のフェンス用継手座金１は、座金本体２と、座金本体２の一端側に段差（Ｌ）をつけて形成された隙間閉塞用片３とからなっている。段差（Ｌ）は、継手座金１を固定したときに、隙間閉塞用片３が座金本体２に対して外方に位置するように形成されている。段差（Ｌ）をつけることによって、図１１に示すように、座金本体２と改良押え金具１６の中央片１６Ｂおよび他側片１６Ｃとの干渉を防止することができる。座金本体２には、水平孔４Ａと垂直孔４Ｂとからなる２個のＬ字状ボルト孔４が間隔をあけて、垂直孔４Ｂを外側に向けて互いに平行に形成されている。隙間閉塞用片３は、座金本体２より長く形成され、上下端に突出部３Ａが形成されている。
【００２０】
この発明のフェンス用継手座金による支柱とパネルの端部との間の隙間（Ｓ0）の閉塞方法を、図面を参照しながら説明する。
【００２１】
図５は、この発明のフェンス用継手座金の取り付け方法を示す正面図であり、図５−１の（ａ）は、継手座金の最初の取り付け状態を示す図、（ｂ）は、継手座金を９０°回転させた状態を示す図、図５−２の（ｃ）は、パネル固定用ボルトが継手座金のボルト孔の水平孔に移動するように継手座金を下方に移動させた状態を示す図、（ｄ）は、継手座金を支柱側に移動させた状態を示す図である。
【００２２】
なお、この発明のフェンス用継手座金１は、図４に示すように、端部の支柱１１にパネル１２を固定するための継手１４の座金であり、継手１４は、継手固定用ボルト５により支柱１１に固定されている。
【００２３】
先ず、図５−１の（ａ）に示すように、パネル固定用ボルト６がこの発明のフェンス用継手座金１の下部のボルト孔４の水平孔４Ａの外側端に来るように、継手座金１を支持する。このとき継手座金１は、支柱１１から離れているので、支柱１１に接触することはない。次に、図５−１の（ｂ）に示すように、パネル固定用ボルト６を中心として、継手座金１を９０°支柱１１方向に回転させる。このときも継手座金１は、支柱１１から離れているので、支柱１１に接触することはない。次に、図５−２の（ｄ）に示すように、パネル固定用ボルト６がボルト孔４の水平孔４Ａに移動するように、継手座金１を下方に移動させる。次に、図５−２の（ｃ）に示すように、継手座金１を支柱１１方向に移動させる。この後、継手座金１の上部のボルト孔４に別のパネル固定用ボルト６を通して、パネル固定用ボルト６を本締めする。
【００２４】
このようにして、この発明の継手座金１によれば、継手１４の座金として機能すると共に、支柱１１とパネル１２の端部との間の隙間（Ｓ0）がフェンスの裏側から継手座金１の隙間閉塞用片３の突出部３Ａによって塞がれる。なお、隙間閉塞用片３は、座金本体２に対して段差がついていて、突出部３Ａは、隙間（Ｓ0）側に接近しているので、隙間（Ｓ0）は確実に閉塞される。
【００２５】
以上の説明は、端部の支柱１１とパネル１２との間の隙間（Ｓ0）を塞ぐ場合であるが、中間の支柱１１とパネル１２との間の隙間（Ｓ0）も同様にして塞ぐことができる。
【符号の説明】
【００２６】
１：この発明のフェンス用継手座金
２：座金本体
３：隙間閉塞用片
３Ａ：突出部
４：ボルト孔
４Ａ：水平孔
４Ｂ：垂直孔
５：継手固定用ボルト
６：パネル固定用ボルト
１１：支柱
１２：パネル
１３：胴縁
１４：継手
１５：従来押え金具
１６：改良押え金具
１６Ａ：一側片
１６Ｂ：中央片
１６Ｃ：他側片
１７：ボルト孔
１８：押え金具固定用ボルト
【図１】
2010261245.tif 000003
【図２】
2010261245.tif 000004
【図３】
2010261245.tif 000005
【図４】
2010261245.tif 000006
【図５−１】
2010261245.tif 000007
【図５−２】
2010261245.tif 000008
【図６】
2010261245.tif 000009
【図７】
2010261245.tif 000010
【図８】
2010261245.tif 000011
【図９】
2010261245.tif 000012
【図１０】
2010261245.tif 000013
【図１１】
2010261245.tif 000014